(57)【要約】【課題】中空ブロックを使用してもブロック本体のコーナー部間の梁部分における曲げ応力がほとんど問題とならない中空ブロックの継手装置を提供する。【解決手段】六面体より成るブロック本体の内部に中空部を有し、上記中空部とブロック本体の外部を通じる開口部を六面全部又は一部に有する中空ブロックの継手装置であって、中空ブロックをＸＹＺ方向へ連結するために、ブロック本体１０の角部に設ける継手手段と、上記継手手段の箇所にてブロック本体同士を引き寄せ締結するボルト１６を有し、上記継手手段は、ＸＹＺ方向の何れかの方向へ隣接のブロック本体同士を連結する際に、ブロック本体に加えられる外力を軸力として受け支える支圧プレートＰと、ボルトによる締結力をブロック本体に伝達する継手部材１５を有し、また、ボルト操作のためにブロック本体の角部に操作口１９を有する。【選択図】          図１
2017095991.tif 000002
【特許請求の範囲】
【請求項１】
六面体より成るブロック本体の内部に中空部を有し、上記中空部とブロック本体の外部を通じる開口部を六面全部又は一部に有する中空ブロックの継手装置であって、
中空ブロックをＸＹＺ方向へ連結するために、ブロック本体の角部に設ける継手手段と、上記継手手段の箇所にてブロック本体同士を引き寄せ締結するボルトを有し、
上記継手手段は、ＸＹＺ方向の何れかの方向へ隣接のブロック本体同士を連結する際に、ブロック本体に加えられる外力を軸力として受け支える支圧プレートと、ボルトによる締結力をブロック本体に伝達する継手部材を有し、
また、ボルト操作のためにブロック本体の角部に操作口を有する
ことを特徴とする中空ブロックの継手装置。
【請求項２】
支圧プレートは剛体から成り、かつ、おおむね中空ブロック柱部の最少断面積部分を通る軸線上に配置される
請求項１記載の中空ブロックの継手装置。
【請求項３】
ボルトの締結力によってブロック本体に応力を生じさせない角部近傍の位置に、中空ブロックを連結するボルトを通すボルト孔を有し、かつ、上記ボルト孔を有する箇所と、中空ブロック柱部の最少断面積部分を通る軸線上に、支圧プレートが配置されている
請求項１又は２記載の中空ブロックの継手装置。
【請求項４】
継手部材には、ＸＹＺ方向の内の何れか二方向に隣接する中空ブロックに通じるボルト孔を有する継手部材Ｉと、ＸＹＺ方向の内の何れか一方向に隣接する中空ブロックに通じるボルト孔を有する継手部材ＩＩの二種類があり、
中空ブロックは上記二種類の継手部材Ｉ又は継手部材ＩＩの何れかを備えている
請求項２記載中空ブロックの継手装置。
【請求項５】
継手部材Ｉ又は継手部材ＩＩはＸＹＺ方向の何れかの方向に伸び、かつ、継手片の面と直交方向のボルト孔を有する扁平な継手片と、上記継手片と一体に設けられて片部と同方向に伸びる延長片を有している
請求項２又は３記載の中空ブロックの継手装置。
【請求項６】
ボルト孔の内方端部に位置するチューブと、ボルト孔軸と開口部の円弧状の面とが形成する交差角度にて上記チューブと一体的に設けられ、上記円弧状の面と面接触するプレートとから構成された
請求項１記載の中空ブロックの継手装置に用いる継手部材。
【発明の詳細な説明】
【技術分野】
【０００１】
本発明は、六面体より成るブロック本体の内部に中空部を有し、上記中空部とブロック本体の外部を通じる開口部を六面全部又は一部に有する中空ブロックの継手装置及び同装置に用いる継手部材に関するものである。
【背景技術】
【０００２】
立方体より成るブロック本体の内部に中空部を有し、上記中空部とブロック本体の外部を通じる円形の開口部を六面全部又は一部に有するコンクリート製の中空ブロックがあり、ポカラ（ＰＯＫＡＲＡ）という商品名で流通している。ポカラのような中空ブロックはほぼ８０％を超える空隙率を有し、かつ、軽いという長所があり、また、その一方、重さが必要なときは内部に土やコンクリートなどを充填することも可能である。
【０００３】
この種の中空ブロックは特開平１１−５２０５号、特開平１１−１０５０２４号に開示されており、かつまた、特開平１１−３６３１４号によって接ぎ手が開示されている。上記接ぎ手は接ぎ手それ自体もコンクリート製の大きなブロックから成り、それが中空ブロック間に介在するため、構造物全体の空隙率は、例えば８４％程度とさらに高くなり、それも一つの技術的特徴となる。しかし、このような接ぎ手ブロックは、上下４個の中空ブロックのそれぞれのコーナー部の突き合わせ部に嵌め込まれて相互に接合する構造を取るため、材料費から施工費に至るまでのコストが高く経済性の良くないことも指摘される。
【０００４】
また、上下４個の中空ブロックのそれぞれのコーナー部の突き合わせ部に接ぎ手ブロックを嵌め込んで相互に接合する構造は、中空ブロックの荷重を負担する際に問題となって現れる。すなわち、中空ブロックに外力として加わる隣接ブロックの荷重、土圧及び水圧は接ぎ手ブロックの荷重と共にコーナー部に掛かるため、継手ブロック４個の水平、垂直を取ることが大事であり、そこに不備を生じた場合にはコーナー部間の梁部分に曲げ応力が現れる。このため、中空ブロックの破損の原因となるというような問題が起こり得る。しかしながら、ポカラのような中空ブロックでは接ぎ手ブロックも空隙率の大きさに寄与しており、上記の問題が起こり得ると認識されるには至っていない。
【先行技術文献】
【特許文献】
【０００５】
【特許文献１】特開平１１−５２０５号
【特許文献２】特開平１１−１０５０２４号
【特許文献３】特開平１１−３６３１４号
【発明の概要】
【発明が解決しようとする課題】
【０００６】
本発明は前記の点に鑑みなされたもので、その課題は、上記のような中空ブロックを使用してもコーナー部間の梁部分における曲げ応力がほとんど問題とならない中空ブロックの継手装置を提供することである。また、本発明の他の課題は、中空ブロックを用いる施工において、材料費から施工費に至るまでのコストがより低価格であり、経済性の良い中空ブロックの継手装置を提供することである。
【課題を解決するための手段】
【０００７】
前記の課題を解決するため、本発明は、六面体より成るブロック本体の内部に中空部を有し、上記中空部とブロック本体の外部を通じる開口部を六面全部又は一部に有する中空ブロックの継手装置について、中空ブロックをＸＹＺ方向へ連結するために、ブロック本体の角部に設ける継手手段と、上記継手手段の箇所にてブロック本体同士を引き寄せ締結するボルトを有し、上記継手手段は、ＸＹＺ方向の何れかの方向へ隣接のブロック本体同士を連結する際に、ブロック本体に加えられる外力を軸力として受け支える支圧プレートと、ボルトによる締結力をブロック本体に伝達する継手部材を有し、また、ボルト操作のためにブロック本体の角部に操作口を有するものとするという手段を講じたものである。
【０００８】
本発明の対象とする中空ブロックは、背景技術において言及したポカラ（商品名）のようなコンクリート製の中空ブロックであり、従って、前記特開平１１−５２０５号、特開平１１−１０５０２４号と共通の基本的構成を有する中空ブロックと考えて良い。中空ブロックがポカラ（商品名）の場合、中空部とブロック本体の外部を通じる開口部は円形であり、六面全部又は一部に有している。従って、本発明の場合もブロック本体の六面の一部には開口部を設けることなく、閉塞した壁面を形成することができるが、開口部は円形に限らない。なお、ブロック本体が正六面体の場合、中空部は中心が一致する球状か、或いは円筒形状のＸＹＺ方向交差形状として形成される。
【０００９】
支圧プレートはブロック本体に加えられる外力を軸力として受け支えるものであるから剛体から成ることが求められる。支圧プレートに適した剛体部材は硬質プラスチック、鉄合金その他の金属を用いた変形し難いシート状部材である。また、このような支圧プレートはおおむね中空ブロック柱部の最少断面積部分を通る軸線上に配置される。そして、支圧プレートは接着剤又は両面テープ類を用いてブロック本体に貼り付け、固定される。
【００１０】
ボルトの締結力によってブロック本体に応力を生じさせない角部近傍の位置に、中空ブロックを連結するボルトを通すボルト孔を有し、かつ、上記ボルト孔を有する箇所と、中空ブロック柱部の最少断面積部分を通る軸線上に、支圧プレートが配置されることも望ましい形態である。継手手段を設けるブロック本体の角部からやや離れた箇所でも、ブロック本体に変形を生じさせない箇所であれば、ボルトの締結力を軸力として伝達することが可能であるからである。上記ブロック本体に応力を生じさせない角部近傍の位置とは、例えば有限要素法を用いて決められるが、応力を無視し得る領域中の任意の位置ということができる。これによって、外力がブロック本体に作用してもブロック本体に変形を生じさせずに済む。
【００１１】
このような角部からやや離れた位置での連結は、角部に例えばＸＺ方向の継手手段がある場合に、Ｙ方向への継手手段として必要になり、かつ、有効である。そして、この場合にはボルト孔を有する箇所とブロック本体角部の継手手段の箇所に支圧プレートを配置すれば良い。従って、上記の最少断面積部分は中空ブロックの形態上柱部にあり、その軸線上に継手手段の箇所がある。
【００１２】
本発明の装置において、ボルトは隣接の中空ブロックを引き寄せ連結するための手段であり、ボルトによる締結力や荷重及びその他の外力は、上記継手手段の支圧プレートによって中空ブロックのＸＹＺ方向の柱部（と梁部）に軸力として伝達される。継手手段はＸＹＺ方向の何れか一又は二方向に通じて隣接の中空ブロック同士を連結するボルトの挿入孔を有するとともに、上記挿入孔におけるボルト操作のために中空ブロックに設けた操作口を中空ブロックの角部に有する。
【００１３】
継手部材には、ＸＹＺ方向の何れか二方向に隣接する中空ブロックに通じるボルト孔を有する継手片Ｉと、ＸＹＺ方向の何れか一方向に隣接する中空ブロックに通じるボルト孔を有する継手片ＩＩの二種類があると良い。この場合、中空ブロックは上記二種類の継手片Ｉ又は継手片ＩＩの何れかを備える。
【００１４】
継手片Ｉ又は継手片ＩＩはＸＹＺ方向の何れかの方向に伸び、かつ、継手片の面と直交方向のボルト孔を有する扁平な片部と、上記片部一体に設けられて片部と同方向に伸びる延長片を有する形態も適切である。継手片と延長辺によって、中空ブロックを構成するコンクリートとの接触面積が増大する。
【００１５】
また、継手片ＩＩは、ＸＹＺ方向の何れか一方向にて隣接の中空ブロック同士を引き寄せ連結するために、ボルトの挿入孔の反対側に位置してボルトの締結力を受ける支圧プレートと組み合わされる。この場合、ＸＹ方向のボルトであれば、その位置は中空ブロックの角部からやや離れた箇所に位置する。
【００１６】
また、本発明は、ボルト孔の内方端部に位置するチューブと、ボルト孔軸と開口部の傾斜状の面とが形成する交差角度にて上記チューブと一体的に設けられ、上記傾斜状の面と面接触するプレートとから構成された中空ブロックの継手装置に用いる継手部材を含む。上記傾斜状の面は、開口部が円形の場合円弧状の面の接線を取って傾斜角度を決めることができる。この継手部材は開口部と面接触するので外力の伝達が好適に行なわれ、また、単品の金具として形成することができるので、製造、保管、使用上非常に有効である。
【発明の効果】
【００１７】
本発明は以上のように構成され、かつ、作用するもので外力を確実に軸荷重として受け支えるから、中空ブロックを使用してもコーナー部間の梁部分における曲げ応力がほとんど問題とならない中空ブロックの継手装置を提供することができるという効果を奏する。また、本発明によれば、中空ブロックの連結手段はブロック本体に備わっているものとボルト程度で済み、大きな接ぎ手ブロックを必要としないので、中空ブロックを用いる施工において、材料費から施工費に至るまでのコストがより低価格であり、経済性の良い中空ブロックの継手装置を提供することができる。
【図面の簡単な説明】
【００１８】
【図１】本発明による中空ブロックの継手装置に用いる中空ブロックの例１を示すものでＡは斜視図、Ｂは角部を拡大して示す断面図である。
【図２】例１のブロックに関するもので、Ａは正面図、ＢはＩＩＢ−ＩＩＢ線に沿う断面図である。
【図３】本発明による中空ブロックの継手装置によるＸＺ方向の連結状態を示すもので、Ａは斜視図、Ｂは断面図である。
【図４】本発明による中空ブロックの継手装置によるＸＹ方向の連結状態を示すもので、Ａは斜視図、Ｂは断面図である。
【図５】同じく本発明による中空ブロックの継手装置に用いる中空ブロックの例２を示すもので、Ａは斜視図、Ｂは図６ＢのＶＢ−ＶＢ線に沿う断面図である。
【図６】例２のブロックに関するもので、Ａは正面図、Ｂは図６ＡのＶＩＢ−ＶＩＢ線に沿う断面図である。
【図７】同じく本発明による中空ブロックの継手装置に用いる中空ブロックの例３を示す斜視図である。
【図８】例３のブロックに関するもので、Ａは平面図、Ｂは図８ＡのＶＩＩＩＢ−ＶＩＩＩＢ線に沿う断面図、Ｃは右側面図、Ｄは背面図である。
【図９】現場打ちによる施工領域外郭の基礎コンクリートと中空ブロックとの間に充填する止水手段の例を示す斜視図である。
【図１０】本発明による中空ブロックの継手装置により構築した貯溜槽の一例を示す斜視説明図である。
【図１１】同じく本発明による中空ブロックの継手装置により構築した自立型擁壁の一例を示す斜視説明図である。
【発明を実施するための形態】
【実施例】
【００１９】
以下図示の実施形態を参照して本発明をより詳細に説明する。図１に示す中空ブロックの例１は本発明による継手装置に用いるもので、ブロック本体１０は正六面体（立方体）より成り、その内部に中空部１１を有している。例１のブロック本体１０は六面全部に中空部１１とブロック本体１０の外部を通じる円形の開口部１２を有するブロックである。ブロック本体１０は正六面体であり、中空部は円筒形状のＸＹＺ方向交差形状として形成されている。開口部は符号１２で示すが、特にその位置を示す場合、正面はｆ、右側面はｒ、左側面はｌ、背面はｂ、上面はｔ、下面はｓを補助符号として区別することがある。
【００２０】
中空ブロックをＸＹＺ方向へ連結するために、ブロック本体１０の角部に設ける継手手段として、ＸＹＺ方向の何れかの方向へ隣接のブロック本体同士を連結する際に、ブロック本体に加えられる外力を軸力として受け支える支圧プレートＰが用いられる（図３）。支圧プレートＰは一定の厚みを有し、かつ、変形を無視し得る、硬質プラスチック、鉄合金その他の金属を用いたシート状の剛体部材から成り、おおむね中空ブロック柱部の最少断面積部分を通る軸線上に配置される。
【００２１】
支圧プレートＰが一定の厚みを有することは、ブロック本体同士の直接接触によって、外力が梁部分（中空ブロックの柱部）に入力されることを避けるために必要とされる条件である。このような支圧プレートＰは、例えば接着剤又は両面テープ類を用いてブロック本体１０に貼り付けられ、固定される。
【００２２】
例１として示した中空ブロックは、ＸＺ二方向へ隣接する中空ブロックに通じるボルト孔１３Ｘ、１３Ｚを有する継手部材Ｉ１５を正面と背面の四隅の角部に有している（図１Ｂ参照）。この継手部材Ｉ１５は直交するＸＺ二方向へ曲げられた継手片１４Ｘ、１４Ｚと、上記継手片１４Ｘ、１４Ｚの面と同方向に伸びる延長片１６Ｘ、１６Ｚを有している（図３Ａ）。
【００２３】
上記継手片１４Ｘ、１４Ｚは中空ブロック柱部の最少断面積部分１７とほぼ重なる大きさの片状部分であり（図１Ｂ、図３Ａ参照）、かつ、ボルト孔１３Ｘ、１３Ｚの中心は上記最少断面積部分１７の中心軸線とほぼ一致する。最少断面積部分１７は継手部材Ｉ１５の稜線の中間点にある。なお、継手部材Ｉ１５は防錆処理された鉄合金等の金属部材によって形成されており、継手片１４Ｘ、１４Ｚと棒状の延長片１６Ｘ、１６Ｚとは溶接されて一体に形成されている。
【００２４】
ブロック本体１０は、ＸＺ二方向に通じて隣接の中空ブロック同士を引き寄せ、連結するボルト挿入口１８Ｘ、１８Ｚを継手手段として有するとともに、上記ボルト挿入口１８Ｘ、１８Ｚにおけるボルト操作のために中空ブロックに設けた操作口１９を中空ブロックの角部、つまり正面と背面の四隅に有している（図１、図２）。これらにより、中空ブロックをＸＺ方向に連結する構成が整う。
【００２５】
さらに、本装置は中空ブロックをＸ方向又はＹ方向へ連結する継手手段を備えている。継手手段として、中空ブロックは中空ブロックを一方向連結するボルト２８を通す一方向ボルト孔２１Ｘ、２１Ｙが、ブロック本体１０の角部と最少断面積部分１７との間にて互いに抵触しない間隔を開けて設けられている（図３Ｂ、図４Ｂ参照）。上記ボルト孔２１Ｘ、２１Ｙはボルトの締結力によってブロック本体に応力を生じさせない角部近傍の位置にある。なお、ボルトについては同じ符号２８を用いているが、目的や用途に応じて任意の種類のものを使用し得ることは当然である。
【００２６】
上記継手手段は、ＸＹの一方向に隣接する中空ブロックに通じるチューブ２２Ｘを有する継手部材ＩＩ２３Ｘと、ＸＹの他の一方向に隣接する中空ブロックに通じるチューブ２２Ｙを有する継手部材ＩＩ２３Ｙを有して構成されている。また、連結には、チューブ２２Ｘ、２２Ｙの反対側に位置し、ボルト孔２４Ｘ、２４Ｙに挿入されるボルト２８の締結力を受ける、支圧プレートＰ’が組み合わされる（図４参照）。
【００２７】
上記継手部材ＩＩは、ボルト孔２１Ｘ、２１Ｙの内方端部に位置するチューブ２２Ｘ、２２Ｙと、ボルト孔軸と円形開口部１２の円弧状の面１２ａとが形成する交差角度にて上記チューブ２２Ｘ、２２Ｙと一体的に設けられ、上記円弧状の面１２ａと面接触するプレート２５Ｘ、２５Ｙとから構成されている。軸線との交差角度については、ボルト孔２１Ｘ、２１Ｙの内方端部における接線で円弧状の面１２ａ（の傾斜）を代表させることができる（図５）。上記プレート２５Ｘ、２５Ｙは円形開口部と面接触するので外力の伝達が好適に行なわれ、単品の金具として形成することができるので、製造、保管、使用上非常に有効である。また、その形態については施工部位の形状や構造に応じて、長方形のほか円形、楕円形その他の形態を選択することができる。
【００２８】
上記支圧プレートＰ’は、角部に設けられる支圧プレートＰと同様に一定の厚みを有しており、変形を無視し得る、硬質プラスチック、鉄合金その他の金属を用いたシート状の剛体部材から成る。ボルト孔２１Ｘ、２１Ｙはボルトの締結力によってブロック本体に応力を生じさせない角部近傍の位置にあるので、より内側の部分にてボルト、ナットによる締結力が加えられても、その締結力は角部の支圧プレートＰに軸力として伝達される。このようにして、本発明では、外力は軸荷重として受け支えられる。
【００２９】
なお、継手部材ＩＩ２３Ｘ、２３Ｙは、どちらもチューブ２２Ｘ、２２Ｙにブロック本体１０に開けられた開口部１２の曲面に配置されるので、ボルト、ナットによる締結操作は容易である。上記により、本発明による中空ブロックの継手装置に必要な中空ブロックをＸＹ方向に連結する構成が整う。加えて、中空ブロックには隣接する中空ブロック同士の位置関係を規定するために、中空ブロックの外面に形成されたダボ穴２６と、上記ダボ穴２６に嵌合するダボ２７とから成る位置決め手段も必要に応じて設けられる。
【００３０】
本発明による継手装置に用いる中空ブロックは、中空部とブロック本体の外部を通じる円形の開口部を六面全部又は一部に有していれば良い。従って、例１のブロック本体１０の六面の一部は開口部がなくても良く、閉塞した壁面を有する中空ブロックを構成することができるので、以下にその例を示す。図５、図６は背面を閉塞した例２の中空ブロックであって、ブロック本体２０は正六面体より成り、その内部に中空部１１を有している点、例１のものと変わりはない。
【００３１】
従って、例２以下の場合、例１と共通の構成については符号を援用し、詳細な説明は繰り返さない（例２は一面閉塞のブロック本体２０の例であり、閉塞箇所は図示の場合に止まらない。）。説明の便宜上開口部１２に補助符号を付したが、例２の場合背面の開口部を示す１２ｂは閉じて存在しない。例２の中空ブロックは背面が閉塞された壁２９になるため（図６Ｂ参照）、背面が外面になるように中空ブロックを配置すると、外部に対して閉じた構造体を構築することができる。
【００３２】
例２の中空ブロックの正面と断面を示した、図６によってより良く理解されるように、ブロック本体２０は一面だけが閉塞されているので、貯水池その他の液体貯溜槽などの壁面部分の構築に好適である。例えば、図１１は角を除く外周が例２の中空ブロックの背面の壁２９で囲まれており、貯溜槽を構築する場合に重要な役割を果たす。
【００３３】
次に、図７、図８により背面と左側面を閉塞した例３の中空ブロックを示す。例３の中空ブロックは、上記二面が閉塞されたブロック本体３０であるので、上記貯溜槽のような構築物の角を占めるブロックなどとして利用できる。一面閉塞のブロック本体２０、二面閉塞のブロック本体３０では、継手手段の一部を省略することができる。何れも閉塞された壁であって、ボルト、ナットによる緊締力によって撓むべき梁に該当する部分がないからである。
【００３４】
図８に示されているように、例３の中空ブロックではブロック本体３０向かって正面の右側と背面右側及び左側などに操作口１９が設けてある（なお、例３は二面閉塞ブロック本体の例であるので、閉塞箇所は上記に限られない。）。例３についても例１と共通の構成については符号を援用し、詳細な説明は繰り返さないが、二面閉塞以外の構成は例１及び例２のものと共通である。
【００３５】
よって、例３のブロック本体３０は正面と右側面及び上下の四面にて中空部と外部とが通じており、背面と左側面に閉塞された壁２９、３１が形成される（図８Ｂ参照）。以上説明した閉塞面を有する例２及び例３のブロック本体２０、３０は、水平面（ＸＹ平面）における構造体の周囲を囲む壁として使用することを主要な目的としているが、しかし、これらに限らず上面、下面或いはその他の面の開口部１２についても、壁を設けることが可能である。
【００３６】
以上のように構成された中空ブロックの継手装置は、中空ブロック同士を前後、左右又は上下に配置するとともに、配置された状態において、隣接している中空ブロック同士を引き寄せ連結することができる。すなわち、図３Ａに示したように、右下に位置するブロック本体１０の継手部材Ｉ１５に対して、左下に位置するブロック本体１０の操作口１９からボルト２８を差し込み、ナット３２を用いて締結し、引き寄せて連結する。その際、右下ブロック本体１０と左下ブロック本体１０とは、左下ブロック本体１０の支圧プレートＰにて外力の伝達が行なわれる。
【００３７】
同様に上下２個の中空ブロックの連結においては、図３Ａにおいて、左下に位置するブロック本体１０の支圧プレートＰの部分において、左下に位置するブロック本体１０の操作口１９からボルト２８を差し込み、ナット３２を用いて締結がなされる。このようにして、ＸＺ方向に配置された左右、上下の三個の中空ブロックを連結することができる（図３Ｂ参照）。
【００３８】
また、横に隣接する中空ブロックを連結するには、例えば右側に位置するブロック本体１０のチューブ２２Ｙから左側のブロック本体１０のボルト孔２１Ｙに向けて、ボルト２８を差し込み、ナット３２を用いて締結することができる。前後に隣接する中空ブロックについても同様に、前側に位置するブロック本体１０のボルト挿入口２１Ｘから後側のブロック本体１０の挿入口２１Ｘに向けて、ボルト２８を差し込み、ナット３２を用いて締結し、引き寄せて連結する。この場合、ボルト２８とナット３２はそれぞれ開口部１２において取り扱われる。
【００３９】
さらに、図９によりＸＹＺ方向における組立図を示す。この例では一面閉塞のブロック２０と二面閉塞のブロック３０を併用しており、例えば後述する貯溜槽などの角部に適用される。図中の符号３５は止水手段３５を示しており、この実施形態の場合水膨張性ゴムを使用している。
【００４０】
図１０は前記の貯溜槽であり、本発明による中空ブロックの継手装置を用いて構築される構造体の例一である。例一の構造体は予め施工された基礎３３の上に、平面形状が田の字型になるように施工されており、外部の四隅に例３のブロック本体３０が上下二段に配置され、それらの間には構造体の周壁となる例２のブロック本体２０が同様に上下二段に配置されている。また、田の字の十字に相当する部分には例１のブロック本体１０が配置されている。
【００４１】
図１０のような貯溜槽では、ブロック本体２０とブロック本体３０によって槽の全周が囲まれ、その層構造は内側の十字型構造によって強化されている。また、貯溜量はブロック本体１０、２０、３０が高い空隙率を有するので、従来の実績によればほぼ８０％と、ポカラ単体とほとんど変わらない空隙率を維持できることになる。しかも、大きな接ぎ手ブロックが不必要であるから荷重も大幅に軽減される。このような貯溜槽は、地下にも地上にも設置することができる。なお、中空ブロック同士及び中空ブロックと現場打ちの基礎コンクリートと中空ブロックとの間における上記の止水手段３５が必要になるが、その場合には水膨張性ゴムなどが間に充填される。
【００４２】
図１１は本発明による中空ブロックの継手装置を用いて構築される、構造体の例二であり、自立式擁壁を示している。例二の構造体は予め施工され階段状の基礎３４を有し、その階段の上に、例１のブロック本体１０を積み重ね、下から２段目を除く正面壁は例２のブロック本体２０で構築している。この構造のため、下から２段目の開口部１２が通水可能な構造に保たれている。このように構成される構造体では、現場打ちのコンクリートによって構築される、基礎や境界の壁面などとの組み合わせによって全体が形をなすことになる。
【００４３】
本発明の継手装置の場合、ブロック本体１０同士の全ての連結においてブロック本体に加えられる外力を支圧プレートによって軸力として受け支えることができ、締結部分にて支圧プレートに加えられる外力は圧縮のみである。この継手装置ではブロック本体同士をボルトで引き寄せ、連結して構造体を形成するが、外力が面荷重から軸荷重に変換され、軸力として伝達されるため、理論的に座屈が発生せず、剛体構造が可能になる
【符号の説明】
【００４４】
Ｐ、Ｐ’  支圧プレート
１０、２０、３０  ブロック本体
１１  中空部
１２  円形の開口部
１３Ｘ、１３Ｚ  ボルト孔
１４Ｘ、１４Ｚ  継手片
１５  継手部材Ｉ
１６Ｘ、１６Ｚ  延長片
１７  最少断面積部分
１８Ｘ、１８Ｚ  ボルト孔
１９  操作口
２１Ｘ、２１Ｙ  ボルト孔
２２Ｘ、２２Ｙ  チューブ
２３Ｘ、２３Ｙ  継手部材ＩＩ
２４Ｘ、２４Ｙ  ボルト孔
２５Ｘ、２５Ｙ  プレート
２６  ダボ穴
２７  ダボ
２８  ボルト
２９、３１  壁、
３２  ナット
３３、３４  基礎
【図１】
2017095991.tif 000003
【図２】
2017095991.tif 000004
【図３】
2017095991.tif 000005
【図４】
2017095991.tif 000006
【図５】
2017095991.tif 000007
【図６】
2017095991.tif 000008
【図７】
2017095991.tif 000009
【図８】
2017095991.tif 000010
【図９】
2017095991.tif 000011
【図１０】
2017095991.tif 000012
【図１１】
2017095991.tif 000013